(57)【要約】【課題】時間が経過して太陽の角度が変わってもほぼ一定の場所に日陰を形成することができ、しかも日陰に入っても自然解放感が損なわれることのない屋根状構造物を提供する。【解決手段】東西方向に延びる横長の板状壁１０を、北側と南側にそれぞれ開口部１２、１３が形成されるようにアーチ型に弯曲させた形状であり、その少なくとも中央部分を、北側が高く南側が低くなるように傾斜させたものである。弯曲させた板状壁の北側の端面１４は、地面に対して７０°〜８５°の角度で傾斜している。【選択図】図１
2020143505.tif 000002
【特許請求の範囲】
【請求項１】
東西方向に延びる横長の板状壁を、北側と南側にそれぞれ開口部が形成されるようにアーチ型に弯曲させた形状であり、その少なくとも中央部分を、北側が高く南側が低くなるように傾斜させたことを特徴とする屋根状構造物。
【請求項２】
板状壁の東西の端部が地面に達していることを特徴とする請求項１に記載の屋根状構造物。
【請求項３】
弯曲させた板状壁の北側の端面が、地面に対して７０°〜８５°の角度で傾斜していることを特徴とする請求項１又は２に記載の屋根状構造物。
【請求項４】
弯曲させた板状壁の南側の端面が、地面に対して３０°〜４５°の角度で傾斜していることを特徴とする請求項３に記載の屋根状構造物。
【発明の詳細な説明】
【技術分野】
【０００１】
本発明は、公園などの屋外に設置される屋根状構造物に関するものである。
【背景技術】
【０００２】
公園などの屋外に設置される休憩所には、図６に示されるように四方の支柱１に支えられた四角形の屋根２が設けられ、屋根２の直下に椅子３やテーブル４などが配置されていることがある。
【０００３】
このような従来の一般的な屋根は雨避けとしては適したものであるが、日除けとしては満足できないものである。何故ならば、図４にＡとして示す夏の真上からの日射は避けられるものの、Ｂとして示すように時間が経過して太陽の角度が変わると、椅子３に直射日光が当たってしまうものが多い。このため沢山の人が集まった場合、座った場所によって不公平さを感じるおそれがある。また一人である場合にも、直射日光を避けるために座る場所を移動しなければならない。特に近年のように猛暑日が多くなると、屋根の日除け効果は重要である。またこれは必ずしも夏だけの問題ではない。
【０００４】
このような問題を解決するために、例えば特許文献１に示されるように、周りを囲ってしまう球状の屋根も提案されている。これは背の高い大型の建造物とすれば問題はないが、公園の休憩所として利用できるように小型化すると内部が閉鎖的な空間になってしまい、せっかくの公園の自然解放感が失われるおそれがある。また周囲から内部が見えにくいと、安全上の問題も発生するおそれがある。
【先行技術文献】
【特許文献】
【０００５】
【特許文献１】実用新案登録第３００４３４６号公報
【発明の概要】
【発明が解決しようとする課題】
【０００６】
従って本発明の目的は上記した従来の問題点を解決し、時間が経過して太陽の角度が変わってもほぼ一定の場所に日陰を形成することができ、しかも日陰に入っても自然解放感が損なわれることのない新規な屋根状構造物を提供することである。
【課題を解決するための手段】
【０００７】
上記の課題を解決するためになされた本発明は、東西方向に延びる横長の板状壁を、北側と南側にそれぞれ開口部が形成されるようにアーチ型に弯曲させた形状であり、その少なくとも中央部分を、北側が高く南側が低くなるように傾斜させたことを特徴とするものである。板状壁の東西の端部は、地面に達していることが好ましい。
【０００８】
なお、弯曲させた板状壁の北側の端面が、地面に対して７０°〜８５°の角度で傾斜している構造が好ましく、また、弯曲させた板状壁の南側の端面が、地面に対して３０°〜４５°の角度で傾斜している構造が好ましい。
【発明の効果】
【０００９】
本発明の屋根状構造物は、太陽の軌道に合わせたアーチ型であるため、少なくとも午前８時頃から午後５時ごろまで、屋根の下に日陰を形成することができる。なお太陽の高度は季節によって変化するため日陰のできる位置は季節によって変化するが、ある一日を取れば朝から夕方までほぼ一定の位置に日陰を形成することができる。
【００１０】
また本発明の屋根状構造物は、北側と南側にそれぞれ開口部が形成されているので屋根状構造物の下に入った人も閉塞感を感じることはなく、公園の自然解放感が損なわれることがない。また周囲から内部が見えにるため、安全上の問題も発生するおそれがない。
【図面の簡単な説明】
【００１１】
【図１】本発明の実施形態を示す斜視図である。
【図２】本発明の実施形態を示す正面図である。
【図３】本発明の実施形態を示す中央縦断面図である。
【図４】夏至の日陰の位置を示す側面図である。
【図５】春分・秋分の日陰の位置を示す側面図である。
【図６】従来の屋根を示す斜視図である。
【発明を実施するための形態】
【００１２】
以下に図面を参照しつつ、本発明の実施形態を説明する。
図１〜図３に示されるように、本発明の屋根状構造物は、横長の板状壁１０をアーチ型に弯曲させた形状である。板状壁１０は東西方向に延びており、この実施形態では東西の端部１１は地面に達している。しかし地面に埋設された基礎の上に端部１１を支持させることも可能である。
【００１３】
板状壁１０はその少なくとも中央部分を、その全体を北側が高く南側が低くなるように傾斜させた形状である。この実施形態では板状壁１０のほぼ全体が北側が高く南側が低くなるように傾斜しているが、端部１１付近の形状は日陰を形成する機能にあまり影響しないので、適宜変更することも可能である。
【００１４】
板状壁１０の材質は、この実施形態では樹脂であるが、日光を遮断できるものであれば樹脂に限定されるものではなく、金属であっても、コンクリートであっても、セラミックであってもよい。日光を遮断するうえでは板状壁１０の厚みは薄くてもよいが、夏場において板状壁１０自体が高温になるとその内側への二次輻射が問題となるため、適当な厚みを持たせて板状壁１０の熱容量を大きくしたり、内側に断熱材を貼ることも可能である。
【００１５】
図示されるように、板状壁１０の北側と南側には略半円状の開口部１２、１３が形成されている。板状壁１０は北側が高く南側が低くなるように傾斜しているため、北側の開口部１２は南側の開口部１３よりも大きくなっている。具体的には、この実施形態では北側の開口部１２の高さが約２ｍ、南側の開口部１３の高さが約８０ｃｍとなっている。このように板状壁１０の南北両側は大きく開口しているので、板状壁１０の下側に入っても閉塞感が生じることはない。
【００１６】
図４に示すようにこの実施形態では、アーチ型に彎曲させた板状壁１０の北側の端面１４は、地面に対して７０°〜８５°の角度で傾斜している。この角度は夏至の正午（南中時）の太陽高度（角度）に対応させたものである。夏至の南中時の太陽高度＝（９０−設置場所の緯度＋２３．４）°であり、春分・秋分の南中時の太陽高度＝（９０−設置場所の緯度）°である。日本の緯度は３０°〜４５°の範囲にあるので、対応する夏至の南中時の太陽高度は８３．４°〜６８．４°となる。このため設置場所の緯度に合わせて設計すれば、図４に示すように、夏至の南中時にも直射日光が板状壁１０の内側に入射することがない。なおこの角度が小さすぎると直射日光が板状壁１０の内側に入射することとなり、この角度が大きすぎると板状壁１０の下側の幅が狭くなる。
【００１７】
またこの実施形態では、アーチ型に彎曲させた板状壁１０の南側の端面１５は、地面に対して３０°〜４５°の角度で傾斜している。この角度は夏至の午前８時から１７時ごろまでの太陽高度に対応させたものである。このため図４に示すように夏至の朝夕にも直射日光が板状壁１０の内側に入射することがない。もちろん時刻によっても緯度によっても太陽高度は大幅に変化するが、夏季においても日中の日射に比べ朝夕の日射は弱いので、南側の端面１５の角度は北側の端面１４に比べて重要性は低い。
【００１８】
参考のために、図５に春分と秋分における南中時と朝夕の日陰の位置を示した。夏至よりも太陽高度が低くなるため日陰は長くなりその位置は北側に移動するが、南中時にも直射日光が板状壁１０の内側に入射することがない。このように季節によって形成される日陰の位置は変化するが、ある一日の中では朝から夕方までほぼ一定の位置に日陰を形成することができる。
【００１９】
なお、図示の実施形態では図２、図３に記入したように、全高２ｍ、東西の幅４ｍ、中央部における斜面の長さ１．８ｍとしたが、サイズはこれに限定されるものではなく、拡大縮小することができる。しかし全高を低くすると中に入った人が頭を打ちやすくなるので、２ｍ以上とすることが望ましい。
【００２０】
以上に説明したように、本発明の屋根状構造物は時間が経過して太陽の角度が変わってもほぼ一定の場所に日陰を形成することができ、しかも日陰に入っても自然解放感が損なわれることのないものである。
【符号の説明】
【００２１】
１  支柱
２  四角形の屋根
３  椅子
４  テーブル
１０  板状壁
１１  東西の端部
１２  北側の開口部
１３  南側の開口部
１４  北側の端面
１５  南側の端面
【図１】
2020143505.tif 000003
【図２】
2020143505.tif 000004
【図３】
2020143505.tif 000005
【図４】
2020143505.tif 000006
【図５】
2020143505.tif 000007
【図６】
2020143505.tif 000008